(57)【要約】【課題】手差し給紙手段からのプリントジョブ中に不用意にトレイ給紙手段の扉が開放操作されたときであっても、紙詰まり等の弊害が生じることのない画像形成装置を提供する。【解決手段】給紙姿勢と非給紙姿勢に揺動切替可能な手差し給紙手段３１１と、前記手差し給紙手段３１１の下方に設置され上下方向に揺動開閉する扉３１２Ｃを有するトレイ給紙手段３１２を備え、前記手差し給紙手段３１１が前記給紙姿勢にある状態で、前記トレイ給紙手段３１２の扉３１２Ｃの開状態にあるときに、前記給紙制御手段３００は前記手差し給紙手段３１１からの給紙動作を禁止する。【選択図】図１
2007187963.tif 000002
【特許請求の範囲】
【請求項１】
給紙姿勢と非給紙姿勢に揺動切替可能な手差し給紙手段と、前記手差し給紙手段の下方に設置され上下方向に揺動開閉する扉を有するトレイ給紙手段の少なくとも２つの給紙手段を備え、前記手差し給紙手段の姿勢を検出する姿勢検出手段と、前記トレイ給紙手段の扉の開閉を検出する扉開閉検出手段と、前記給紙手段からの給紙を制御する給紙制御手段を備えて構成される画像形成装置であって、前記手差し給紙手段が前記給紙姿勢にあることを前記姿勢検出手段が検出した状態で、前記扉開閉検出手段が前記トレイ給紙手段の扉の開状態を検出したときに、前記給紙制御手段は前記手差し給紙手段からの給紙動作を禁止する画像形成装置。
【請求項２】
前記画像形成装置の本体に装脱自在に装着された前記トレイ給紙手段の装脱状態を検出する装脱検出手段を備え、前記装脱検出手段が前記トレイ給紙手段の離脱状態を検出したときに、前記給紙制御手段は前記手差し給紙手段からの給紙動作を許容する請求項１に記載の画像形成装置。
【請求項３】
プリントジョブを蓄積するプリントジョブ蓄積手段を備え、前記給紙制御手段が前記手差し給紙手段からの給紙動作を禁止した状態で、前記プリントジョブ蓄積手段に新たに要求されたプリントジョブを蓄積する請求項１及び２記載の画像形成装置。
【請求項４】
前記プリントジョブ蓄積手段と、前記プリントジョブ制御手段と、前記手差し給紙手段と前記トレイ給紙手段とは異なる第三給紙手段を備え、前記給紙制御手段が前記手差し給紙手段からの給紙動作を禁止した状態で、前記プリントジョブ制御手段が、前記プリントジョブ蓄積手段に蓄積したプリントジョブの中で前記第三給紙手段に関するプリントジョブを優先して実行する請求項１に記載の画像形成装置。
【請求項５】
前記手差し給紙手段と、前記プリントジョブ制御手段と、前記第三給紙手段を備え、前記給紙制御手段が前記手差し給紙手段からの給紙動作を禁止した状態で、前記給紙制御手段が新たに要求された前記第三給紙手段に関するプリントジョブを優先して実行する請求項１及び２記載の画像形成装置。
【発明の詳細な説明】
【技術分野】
【０００１】
本発明は、給紙姿勢と非給紙姿勢に揺動切替可能な手差し給紙手段と、前記手差し給紙手段の下方に設置され上下方向に揺動開閉する扉を有するトレイ給紙手段の少なくとも２つの給紙手段を備え、前記手差し給紙手段の姿勢を検出する姿勢検出手段と、前記トレイ給紙手段の扉の開閉を検出する扉開閉検出手段と、前記給紙手段からの給紙を制御する給紙制御手段を備えて構成される画像形成装置に関する。
【背景技術】
【０００２】
近年、画像形成装置は高速化やメモリの大容量化が図られると同時に、複写機・プリンタ等の複数の機能を備えた複合機として構成されることが多く、様々なサイズの記録媒体が使用されると共に、大量の記録媒体が消費されている。
【０００３】
この様な中で、葉書等の小さなサイズの記録媒体や厚手の記録媒体等への印刷時の給紙や記録媒体の手軽な給紙を実現する手段として手差しトレイを備え、同サイズで大量の記録媒体を収納する手段として複数の給紙トレイや給紙カセットを備える画像形成装置が製品化されている。
【０００４】
前記画像形成装置では設置スペースの関係や物理的な条件から、装置の側壁部に設置された開閉操作可能な手差しトレイの下方に前記給紙トレイが設置されていることが多く見受けられるが、上述の構成によると前記手差しトレイからの給紙動作の実行中に、前記給紙トレイへの用紙補給を行うために扉が開かれると、前記扉が前記手差しトレイに接触し前記手差しトレイからの給紙動作を妨げ、紙詰まりを起こすおそれがあった。
【０００５】
【特許文献１】特開２００３−２７６８８４号公報
【発明の開示】
【発明が解決しようとする課題】
【０００６】
しかし、上述の問題については今まで対策が取られておらず、前記給紙トレイの扉が前記手差しトレイに接触しないようにオペレータが注意を払うか、前記手差しトレイからの給紙動作が終了するのを待って用紙補給を行う必要があった。
【０００７】
本発明の目的は、上述の問題に鑑み、手差し給紙手段からのプリントジョブ中に不用意にトレイ給紙手段の扉が開放操作されたときであっても、紙詰まり等の弊害が生じることのない画像形成装置を提供する点にある。
【課題を解決するための手段】
【０００８】
上述の目的を達成するため、本発明による画像形成装置の第一の特徴構成は、特許請求の範囲の書類の請求項１に記載した通り、給紙姿勢と非給紙姿勢に揺動切替可能な手差し給紙手段と、前記手差し給紙手段の下方に設置され上下方向に揺動開閉する扉を有するトレイ給紙手段の少なくとも２つの給紙手段を備え、前記手差し給紙手段の姿勢を検出する姿勢検出手段と、前記トレイ給紙手段の扉の開閉を検出する扉開閉検出手段と、前記給紙手段からの給紙を制御する給紙制御手段を備えて構成される画像形成装置であって、前記手差し給紙手段が前記給紙姿勢にあることを前記姿勢検出手段が検出した状態で、前記扉開閉検出手段が前記トレイ給紙手段の扉の開状態を検出したときに、前記給紙制御手段は前記手差し給紙手段からの給紙動作を禁止する点にある。
【０００９】
用紙の補給等の目的で前記トレイ給紙手段の扉の開閉操作されるときに、扉や操作者の体の一部が前記手差し給紙手段に接触すると、前記手差し給紙手段は前記給紙姿勢を保持できず、前記手差し給紙手段からの給紙動作が妨げられ紙詰まりを起こすことがあるが、上述の構成によれば、前記トレイ給紙手段の扉が開放されたときに、前記手差し給紙手段からの給紙動作が禁止されるため、前記手差し給紙手段への接触に起因する紙詰まりを起こすことなく、その際に前記トレイ給紙手段への用紙補給を行うこともできるようになる。
【００１０】
第二の特徴構成は、同請求項２に記載した通り、上述の第一の特徴構成に加えて、前記画像形成装置の本体に装脱自在に装着された前記トレイ給紙手段の装脱状態を検出する装脱検出手段を備え、前記装脱検出手段が前記トレイ給紙手段の離脱状態を検出したときに、前記給紙制御手段は前記手差し給紙手段からの給紙動作を許容する点にある。
【００１１】
上述の構成によれば、前記画像形成装置本体から前記トレイ給紙手段を離脱させて用紙補給を行う際には、前記トレイ給紙手段の扉が前記手差し給紙手段と接触する可能性は低く、前記手差し給紙手段からの給紙動作による紙詰まりを考慮する必要性は少ないので、前記トレイ給紙手段への用紙補給中であっても前記手差し給紙手段を給紙口とするプリントジョブを実行可能とすることで、プリントの生産性を低下させることがなくなる。
【００１２】
第三の特徴構成は、同請求項３に記載した通り、上述の第一及び第二の特徴構成に加えて、プリントジョブを蓄積するプリントジョブ蓄積手段を備え、前記給紙制御手段が前記手差し給紙手段からの給紙動作を禁止した状態で、前記プリントジョブ蓄積手段に新たに要求されたプリントジョブを蓄積する点にある。
【００１３】
上述の構成によれば、前記給紙制御手段が前記手差し給紙手段からの給紙動作を禁止した状態でもオペレータは、給紙動作の可能・不可能を考慮することなく新たなプリントジョブを要求することができ、使い勝手のよい操作性を提供できる。
【００１４】
第四の特徴構成は、同請求項４に記載した通り、上述の第一の特徴構成に加えて、前記プリントジョブ蓄積手段と、前記プリントジョブ制御手段と、前記手差し給紙手段と前記トレイ給紙手段とは異なる第三給紙手段を備え、前記給紙制御手段が前記手差し給紙手段からの給紙動作を禁止した状態で、前記プリントジョブ制御手段が、前記プリントジョブ蓄積手段に蓄積したプリントジョブの中で前記第三給紙手段に関するプリントジョブを優先して実行する点にある。
【００１５】
上述の構成よれば、蓄積されたプリントジョブの中から第三給紙手段に関するプリントジョブが優先して実行されるため、プリントの生産性の低下を防止できる。
【００１６】
第五の特徴構成は、同請求項５に記載した通り、上述の第一及び第二の特徴構成に加えて、前記手差し給紙手段と、前記プリントジョブ制御手段と、前記第三給紙手段を備え、前記給紙制御手段が前記手差し給紙手段からの給紙動作を禁止した状態で、前記給紙制御手段が新たに要求された前記第三給紙手段に関するプリントジョブを優先して実行する点にある。
【００１７】
上述の構成によれば、第三給紙手段に関するプリントジョブは前記プリントジョブ蓄積手段に蓄積されることなく実行されるため、前記プリントジョブ蓄積手段のメモリ容量を抑え、かつ、プリント動作の時間を短縮し、プリントの生産性の低下を防止することができる。
【発明の効果】
【００１８】
以上説明した通り、本発明によれば、手差し給紙手段からのプリントジョブ中に不用意にトレイ給紙手段の扉が開放操作されたときであっても、紙詰まり等の弊害が生じることのない画像形成装置を提供することができるようになった。
【発明を実施するための最良の形態】
【００１９】
以下に、本発明を適用した画像形成装置として、複写機能及びプリンタ機能を備えた複合機について説明する。
【００２０】
当該複合機Ａは図２に示すように、原稿画像を原稿画像データとして読み取る画像読取部１と、前記画像読取部１により読み取られた原稿画像データに所定の処理を施して出力画像データを生成する出力画像データ生成部２と、前記出力画像データ生成部２からの出力画像データに基づいて記録媒体である記録紙Ｄに画像を形成して出力する画像形成部３と、当該複合機Ａの複写動作を起動するプリントキーや複写枚数などを設定する数値キーなどのハードキー群とタッチパネル式のカラー液晶表示部からなる操作パネル部４と、パソコン等の情報処理装置とネットワーク接続するためにＬＡＮ等の伝送ネットワークと接続するネットワークインターフェース部５と、前記各部の図示しない制御部を統括制御するシステム制御部６を備えて構成されている。
【００２１】
前記画像読取部１は、原稿が載置される原稿トレイ１０１と、前記原稿トレイ１０１に載置された原稿を給紙する原稿給紙部（図示せず）と、前記原稿給紙部により給紙された原稿の画像を読み取るＣＣＤリニアセンサ（図示せず）を備えて構成されている。
【００２２】
前記画像形成部３は、前記出力画像データに基づいて感光体３０２にトナー画像を形成するトナー画像形成部３０１と、前記形成されたトナー画像が転写される記録紙Ｄを搬送する搬送部と、前記記録紙Ｄ上に転写された前記トナー像を内部に挿入設置された加熱ヒータ（不図示）と温度センサ（不図示）により所定温度に加熱された定着ローラ３２１により加熱溶融して定着する定着部３２０を備えて構成されている。
【００２３】
前記トナー画像形成部３０１は、前記感光体３０２と、前記感光体３０２の周囲に順に配置され、表面を均一にコロナ帯電する帯電チャージャー３０３と、帯電された前記感光体３０２を露光して静電潜像を形成するプリントヘッド３０４と、前記形成された静電潜像にトナーを静電付着させてトナー像を顕像化する現像部３０５と、前記トナー像を記録紙Ｄに転写する転写部３０６と、転写後に前記感光体３０２に残存するトナーを除去するクリーニング部３０７と、前記感光体３０２表面の残留電位を落して均一にする除電ランプ３０８を備えて構成されている。尚、前記現像部３０５には、カラー画像を生成可能とするため、シアン、マゼンダ、イエロー、ブラックの４色の現像ブロックが配置されている。
【００２４】
前記搬送部は、任意のサイズの記録紙Ｄが設置された手差し給紙手段としての手差しトレイ３１１と、頻繁に使用されるサイズの記録紙Ｄを大量に収容するトレイ給紙手段としてのＬＣＴ（Ｌａｒｇｅ  Ｃａｐａｃｉｔｙ  Ｔｒａｙ）３１２と、夫々サイズの異なる記録紙Ｄが収容された第三給紙手段としての一般給紙カセット３１３と、各給紙手段から前記記録紙Ｄを１枚ずつ搬送する給紙搬送部３１４と、前記給紙された記録紙Ｄを前記転写部３０６に搬送し、トナー像が転写された前記記録紙Ｄを前記定着部３２０に向けて搬送する定着搬送部３１５と、前記定着部３２０を通過した前記記録紙Ｄを排紙トレイ３１６に排紙する排紙搬送部３１７と、排紙トレイ３１８に排出する第二排紙搬送部３１９を備えて構成され、夫々には搬送用のローラが設けられている。
【００２５】
前記手差しトレイ３１１は、図３に示すように、前記複合機Ａに備えられ、記録紙Ｄを設置し前記給紙搬送部３１４により給紙動作が実行可能な実線で示される給紙姿勢と、点線で示される給紙動作が実行不能な非給紙姿勢に揺動切替され、前記非給紙姿勢時には前記複合機Ａ本体の側壁にマグネット３１１Ｍまたは係止機構により固定される。
【００２６】
前記マグネット３１１Ｍは、図３に示すように、前記手差しトレイ３１１の給紙状態・非給紙状態を後述する画像形成制御部へ出力する姿勢検出手段としてのリードスイッチの機能を備えている。
【００２７】
前記ＬＣＴ３１２は前記手差しトレイの下方に設置され上下方向に揺動開閉する扉３１２Ｃを有し、底部にはコロが設置され前記複合機Ａと装脱自在に装着され、前記複合機Ａに装着時には装着部３１２Ｓにより機械的に固定されるように構成されている。
【００２８】
前記装着部３１２Ｓは、前記ＬＣＴ３１２の装着・離脱状態を後述する前記画像形成制御部へ出力する装脱検出手段としてのメカニカルスイッチの機能を備えている。
【００２９】
前記ＬＣＴ３１２は頻繁に使用されるサイズの記録紙Ｄを大量に収納可能であり、前記扉３１２Ｃが閉じられているときには前記記録紙Ｄを載置したリフター３１２Ｌが前記給紙搬送部３１４により搬送可能な位置まで前記記録紙Ｄをリフトアップするように構成されている。
【００３０】
前記扉３１２Ｃが閉じているときには、前記扉３１２Ｃはマグネット３１２Ｍにより閉状態に固定され、前記マグネット３１２Ｍは、前記扉３１２Ｃの開閉状態を前記画像形成制御部へ出力する扉開閉検出手段としてのマグネットスイッチの機能を備え、前記出力は図示しない信号ケーブルにより前記画像形成制御部へ伝えられる。
【００３１】
前記操作パネル部４は、前記画像読取部１の手前側に配置され、画像形成条件を指定する複数のメニュー選択キーがソフトウェアキーの形態で表示されるタッチパネル式のカラー液晶表示部と、画像形成動作を起動させるためのスタートキーや、数値入力するための数値入力キー等のハードウェアキー群を備えて構成されている。
【００３２】
前記ネットワークインターフェース部５は、伝送ネットワークにネットワーク接続された前記情報処理装置より送信されるプリンタ制御言語に基づいて生成された画像データ等の送信データを受信・解析し、前記システム制御部６に出力するように構成されている。つまり、前記複合機Ａは、ネットワーク経由で前記情報処理装置から送信される画像データを記録紙Ｄに出力するプリンタとして動作する。
【００３３】
前記システム制御部６は、図４に示すように、前記画像読取部１による原稿の読取動作を制御する画像読取制御部１００と、前記出力画像データ生成部２と前記画像形成部３を制御する画像形成制御部３００と、前記操作パネル部４の入出力信号を制御する操作制御部４００と、前記ネットワークインターフェース部５を制御するネットワークインターフェース制御部５００夫々と内部バスを介して接続され、前記内部バスを経由して夫々の制御情報が入出力されるように構成され、各制御部の動作タイミング等を制御する。尚、前記各制御部と前記システム制御部６には、夫々ＣＰＵ及びＣＰＵによる動作プログラムが格納されたＲＯＭ、作業領域となるＲＡＭ等が設けられている。
【００３４】
前記画像形成制御部３００は、前記システム制御部６の指令を受けて、前記トナー画像形成部３０１と、前記給紙搬送部３１４と、前記定着搬送部３１５と、排紙搬送部３１７、３１９と、前記定着部３２０の動作タイミングを調整するように構成されている。
【００３５】
前記複合機Ａがプリンタとして動作するときには、ネットワークに接続された前記情報処理装置が送信し、前記ネットワークインターフェース部５で取得された画像データに前記出力画像データ生成部２で所定の処理が施され、出力画像データが生成される。前記画像形成部３により前記出力画像データに基づき生成されたトナー像が記録紙Ｄに形成され出力される。
【００３６】
前記複合機Ａが複写機として動作するときには、前記操作パネル４の操作を受け、前記原稿トレイ１０１に載置された原稿を前記画像読取部１で読取り、取得された画像データに前記出力画像データ生成部２で所定の処理が施され、出力画像データが生成される。また前記画像形成部３に備えられた図示しないハードディスクに保存された画像データが前記制御パネル４の操作から呼び出され、前記出力画像データ生成部２で所定の処理が施され、出力画像データが生成される。
【００３７】
前記複合機Ａがプリンタ及び複写機として動作するときにおいて、前記トナー画像形成部３０１では、前記出力画像データに基づき顕像化されたトナー像を転写する記録紙Ｄが各給紙手段３１１、３１２、３１３から前記給紙搬送部３１４により搬送され、転写される。
【００３８】
前記トナー像が転写された前記記録紙Ｄは、前記定着搬送部３１５により前記定着部３２０に搬送されて定着され、前記排紙搬送部３１７、３１９により前記トレイ３１６、３１８に排紙される。
【００３９】
以下に、前記各給紙手段３１１、３１２、３１３からの給紙動作について詳述する。
【００４０】
図１に示すように、前記情報処理装置より伝送ネットワークを介して送信され、前記ネットワークインターフェース部５で受信されるプリンタ機能に関するプリントジョブや、前記操作パネル４の操作により発生する複写機能に関するプリントジョブ等のプリントジョブは、前記システム制御部６を介して前記画像形成制御部３００に出力され、前記画像形成制御部３００は、前記給紙搬送部３１４を制御し、指定された給紙手段である前記手差しトレイ３１１または、前記ＬＣＴ３１２または、前記一般給紙カセット３１３から記録紙Ｄを搬送する。
【００４１】
つまり、前記画像形成制御部３００が給紙制御手段として前記給紙搬送部３１４を制御し、前記給紙手段３１１、３１２、３１３から記録紙Ｄを給紙するのである。
【００４２】
前記手差しトレイ３１１は、給紙姿勢と非給紙姿勢に揺動切替可能であり、前記給紙トレイ３１１が前記給紙姿勢になければ給紙手段として選択できないように構成されている。
【００４３】
具体的には、前記手差しトレイ３１１の前記給紙姿勢・前記非給紙姿勢は前記姿勢検出手段である前記マグネット３１１Ｍにより検出・出力され、前記非給紙姿勢時には前記画像形成制御部３００を介して前記手差しトレイ３１１の非給紙姿勢がシステム制御部６へ出力される。
【００４４】
前記複合機Ａがプリンタとして使用されるときには前記システム制御部６は、前記ネットワークインターフェース部５を介して前記情報処理装置へ前記給紙トレイ３１１を給紙口とするプリントジョブを実行できない旨を出力し、前記手差しトレイ３１１に関する新たなプリントジョブを受付不可とする。
【００４５】
前記複合機Ａが複写機として使用されるときには前記システム制御部６は、前記操作制御部４００へ前記給紙トレイ３１１を給紙口とするプリントジョブを実行できない旨を出力し、前記操作制御部４００は前記表示パネル４にその旨を表示する。
【００４６】
さらに、前記マグネット３１１Ｍの出力を受けて前記画像形成制御部３００は、前記給紙搬送部３１４を制御し、前記手差しトレイ３１１からの記録紙Ｄの給紙動作を禁止する。
【００４７】
つまり、前記手差しトレイ３１１が非給紙姿勢にあることを前記姿勢検出手段３１１Ｍが検出すると、前記画像形成制御部３００は前記手差しトレイ３１１からの給紙動作を禁止し、前記複合機Ａではプリントジョブの給紙口として前記手差しトレイ３１１が選択不能とされる。
【００４８】
より具体的には前記複合機Ａは、プリントジョブ受信前においては前記手差しトレイ３１１を給紙口とする新たなプリントジョブの受付を禁止し、前記ジョブ実行中においては、前記手差しトレイからの給紙動作を禁止し、かつ、前記手差しトレイ３１１を給紙口とする新たなプリントジョブの受付を禁止する。
【００４９】
前記複合機Ａにおいて、前記手差しトレイ３１１の下方に設置された前記ＬＣＴ３１２へ用紙補給を行うために前記ＬＣＴ３１２の前記扉３１２Ｃが開かれると、前記扉開閉検出手段となるマグネット３１２Ｍは、前記扉３１２Ｃの開状態を検出し、前記画像形成制御部３００へ出力する。
【００５０】
前記扉３１２Ｃが開状態にあるときには、前記手差しトレイ３１１に前記扉３１２Ｃが接触し、前記手差しトレイ３１１からの給紙動作が妨げられ紙詰まりを起こす可能性があるため、前記画像形成制御部３００は、前記扉３１２Ｃが開状態にあることを出力し、さらに、前記給紙搬送部３１４を制御し、前記手差しトレイ３１１からの記録紙Ｄの給紙動作を禁止する。
【００５１】
つまり、前記ＬＣＴ３１２の前記扉３１２Ｃが開状態にあることを前記扉開閉検出手段３１２Ｍが検出したときには、前記画像形成制御部３００は、前記給紙搬送部３１４を制御し、プリントジョブ実行前においては前記手差しトレイ３１１からの記録紙Ｄの給紙動作を禁止し、前記プリントジョブ実行中においては実行中の記録紙Ｄ１枚の給紙動作は継続するが、その後は、給紙動作を禁止する。
【００５２】
前記ＬＣＴ３１２の前記扉３１２Ｃが閉状態にあることを前記扉開閉検出手段３１２Ｍが検出したときには、前記画像形成制御部３００は、前記システム制御部６へ前記扉３１２Ｃが閉状態であることを出力すると共に、前記給紙搬送部３１４を制御し、プリントジョブ実行前においては前記手差しトレイ３１１からの記録紙Ｄの給紙動作を許容し、前記プリントジョブ実行中においては禁止していた記録紙Ｄの給紙動作を再開する。
【００５３】
前記ＬＣＴ３１２の前記複合機Ａからの装脱状態は、前記装脱検出手段となる前記装着部３１２Ｓが検出し、前記画像形成制御部３００へ出力される。
【００５４】
前記扉３１２Ｃが開状態にあるときであっても、前記装脱検出手段３１２Ｓより前記ＬＣＴ３１２が前記複合機Ａから離脱状態にあると検出されるときには、前記扉３１２Ｃが前記手差しトレイ３１１と接触する可能性は低く、前記手差しトレイ３１１からの給紙動作が妨げられる可能性は低い。そこで、前記画像形成制御部３００は、前記システム制御部６へ前記ＬＣＴ３１２が離脱状態にあることを出力し、前記給紙搬送部３１４を制御し、前記手差しトレイ３１１からの記録紙Ｄの給紙動作を許容する。
【００５５】
前記システム制御部６は、前記ＬＣＴ３１２の前記扉３１２Ｃが開状態にあり、前記手差し給紙トレイ３１１からの給紙動作が禁止されているときにネットワークインターフェース部５を介して、または前記操作パネル４の操作から新たに要求されたプリントジョブを受信すると、図４に示すように、前記システム制御部６に備えたＲＡＭ６０１に前記プリントジョブを蓄積し、蓄積した前記プリントジョブの中から前記一般給紙カセット３１３を給紙手段とするプリントジョブを優先して実行するように前記複合機Ａの各部を制御し、実行したプリントジョブは処理済として削除するように制御する。
【００５６】
つまり、前記システム制御部６は、プリントジョブ制御手段として働き、プリントジョブ蓄積手段の役割を果たす前記システム制御部６に備えられた前記ＲＡＭ６０１に前記プリントジョブを蓄積すると共に、蓄積したプリントジョブの中から前記一般給紙カセット３１３に関するプリントジョブを優先して実行するよう前記複合機Ａを制御し、実行したプリントジョブは削除する。
【００５７】
このとき、優先して実行されたプリントジョブに関する記録紙Ｄの排紙について、前記優先実行が行われない際に出力される排紙トレイとは異なる排紙トレイに行うように、前記画像形成制御部３００が排紙搬送部３１７、３１９を制御することで、優先実行したプリントジョブの記録紙Ｄと、優先実行が行われないプリントジョブの記録紙Ｄは夫々異なる排紙トレイに排出されるため、プリントジョブを発行したオペレータの混乱を防ぐことができる。
【００５８】
以下に別実施形態を説明する。
【００５９】
上述した実施形態では、第三給紙手段となる前記一般給紙カセット３１３を備えた構成について説明したが、第三給紙手段を備えない画像形成装置に本発明を適用した構成であってもよい。
【００６０】
上述した実施形態では、前記ＬＣＴ３１２に装脱検出手段となる前記装着部３１２Ｓを備えた構成としていたが、前記装着部３１２Ｓを備えず、前記扉開閉検出手段３１２Ｍにより前記扉３１２Ｃの開状態が検出されたときには、前記手差しトレイ３１１からの給紙動作を禁止する構成であってもよい。
【００６１】
上述した実施形態では、前記ＬＣＴ３１２に装脱検出手段となる前記装着部３１２Ｓを備えた構成としていたが、前記装着部３１２Ｓを備えず、前記扉開閉検出手段３１２Ｍにより前記扉３１２Ｃの開状態が検出されたときには、新たに要求されたプリントジョブを蓄積する構成であってもよい。
【００６２】
上述した実施形態では、前記ＬＣＴ３１２に装脱検出手段となる前記装着部３１２Ｓを備え、前記装着部３１２Ｓは前記ＬＣＴ３１２の前記複合機からの装脱状態を検出する構成としていたが、前記装着部３１２Ｓにより前記複合機からの離脱距離を検出する構成とすることで、前記手差しトレイ３１１と扉３１２Ｃが接触する可能性の有無をより正確に検出し、接触する可能性が無いときに前記手差しトレイ３１１からの給紙動作を許容する構成であってもよい。
【００６３】
上述した実施形態では、プリントジョブ蓄積手段を備え、前記手差しトレイ３１１からの給紙動作を禁止した状態で、新たに要求されたプリントジョブをプリントジョブ蓄積手段となる前記システム制御部に備えられたＲＡＭ６０１に蓄積し、蓄積したプリントジョブの中から前記一般給紙カセット３１３に関するプリントジョブを優先して実行する構成であったが、前記一般給紙カセット３１３に関するプリントジョブは蓄積せずに直接実行する構成であってもよい。
【００６４】
上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００６５】
【図１】給紙動作を説明する機能ブロック構成図。
【図２】複合機の説明図
【図３】複合機の給紙搬送部と給紙手段の説明図
【図４】複合機の機能ブロック構成図
【符号の説明】
【００６６】
１：画像読取部
２：出力画像データ生成部
３：画像形成部
４：操作パネル部
５：ネットワークインターフェース部
６：システム制御部（プリントジョブ制御手段）
３００：画像形成制御部（給紙制御手段）
３１１：手差しトレイ（手差し給紙手段）
３１１Ｍ：マグネット（姿勢検出手段）
３１２：ＬＣＴ（トレイ給紙手段）
３１２Ｍ：マグネット（扉開閉検出手段）
３１２Ｓ：装着部（装脱検出手段）
３１３：一般給紙カセット（第三給紙手段）
３１４：給紙搬送部
３１５：定着搬送部
３１７：第一排紙搬送部
３１９：第二排紙搬送部
６０１：ＲＡＭ（プリントジョブ蓄積手段）
【図１】
2007187963.tif 000003
【図２】
2007187963.tif 000004
【図３】
2007187963.tif 000005
【図４】
2007187963.tif 000006